(57)【要約】【課題】ベランダ等の上下空間部の緑化、コンクリート打設面の樹木等緑化を特別な灌水設備がなくとも水枯れせず生育でき、本格的な庭園を構築できる支柱網付植生植栽装置を提供する。【解決手段】植栽容器４内に防水シート１０を敷設し、植栽設置台１２を設置し分離する。上部は植栽できる用に配合用土２２が入り下部は貯水槽１１とし、繊維マット４を通して雨水が貯水されオーバーフロー孔１３により貯水量が一定に保たれ、貯水された水は給水ロープ１７にて上部の配合用土２２に給水されＬ型水量確認管１５にて貯水量が外から確認でき乾燥時でも枯らすことがない。また、支柱管６にネット８を装着させ植栽容器４と天上２の上下空間をツタ植物で緑化される。【選択図】図１
0003109861.tif 000002
【実用新案登録請求の範囲】
【請求項１】
上面を開放する有底の容器とスプリングが内蔵されている支柱管にネットを装着しベランダ、軒下等の上下空間を緑化することを特徴とする支柱網付植生植栽装置。
【請求項２】
請求項１に記載の容器内に植栽設置台にて上下に分離し、上部は配合用土層、下部は貯水槽とオーバーフロー孔を、貯水槽から植栽植物へ給水ロープにて自動給水し、該容器外壁面に貯水量が確認できる水量確認管を設置した支柱網付植生植栽装置。
【考案の詳細な説明】
【技術分野】
【０００１】
本考案は、屋上等のコンクリート打設面、アパートやマンションのベランダ、ビルのポーチ、家屋の軒、その他天井のある構築物等に、樹木、草花、ツタ類の植物で上下方向空間を緑化し、植物の温度の上昇を緩和する効果により、都市環境の改善をすることができる支柱網付植生植栽装置に関する。即ち、支柱網付植生植栽装置は、コンクリート構築物の多い都市部を緑化して、植物のオアシス効果によりコンクリート構築物やその周辺の温度上昇現象（ヒートアイランド現象）を緩和し、生活環境の改善をせんとするものである。
【背景技術】
【０００２】
市街地は、都市化が進むに従って高層建築物が乱立すると共に、道路や地面の多くがアスファルトやコンクリート舗装されて、土や水など植物の生育することのできる場所が少なくそのため自然環境が失われている。しかも高層建築物から排出される熱エネルギーは、地球温暖化など自然環境を壊す一因となっている。このため、自然環境を取り戻すために緑化や緑地公園の整備が強く要請されている。
【０００３】
しかし、前記のように都市部においては公園用地や緑地帯の確保が困難であるため、ビルやマンション等の屋上やベランダ、コンクリート等で舗装された道路端や地面等が緑地化するための空間として見直されている。しかしながら、屋上やベランダなどはコンクリート打設面になっているので，このコンクリート打設面に庭園を造る場合、種々の構造や方法が開発されている。
【０００４】
従来のコンクリート打設面に庭園を造る一般的手段としては、植栽用のポットを用いて植栽するか、あるいは図６で示すように、庭園を施工するコンクリート打設面Ａに外壁部Ｂを形成し、その内部に防水防根シートＣ等を敷いてその上に給排水パイプＤ等を敷設した上にさらに保水材層Ｅを形成し、その上に盛土層Ｆを形成して植物Ｇを植栽して専門技術者が給排水等の維持管理を行っていた。
【特許文献１】特開２００４−１２１１７８号公報
【考案の開示】
【考案が解決しようとする課題】
【０００５】
しかしながら、上記の従来の手段では、コンクリート打設面に庭園を施工する場合やベランダ等の空間部を緑化するためには、給排水設備、盛土工事等の大掛かりな工事となり、また専門技術者が水枯れ等をなくすための維持管理を行なっていた。
【課題を解決するための手段】
【０００６】
第１考案は、施工場所に応じて自由に簡単に組み立てることができ、コンクリート打設面や縦方向空間を樹木等で緑化することが可能となることが最も主要な特徴とする。
【０００７】
第２考案は、植栽容器内にどのプランターにも設置が可能である植栽設置台を設け、貯水槽とし、給水ロープにより樹木等に自動給水しＬ型水量確認管により貯水槽内の水量確認及び管理が簡単にできることが最も主要な特徴とする。
【考案の効果】
【０００８】
屋上、ベランダ等コンクリート打設面に庭園を施工する場合、施工面積に拘らず植栽容器の組み合わせにより工事が短期間、低コストででき、水量確認管により維持管理が容易である。また、緑化によるオアシス効果により、都市部のヒートアイランド現象を緩和することができる。
【０００９】
また、アンカーピンを用いたコンクリート打設面の緑化工法（特許第３５３６１０８号）との併用により、樹木等は固定保持されるので、ビル風や風雨などの強風によって樹木が倒木することもない。
【考案を実施するための最良の形態】
【００１０】
屋上等のコンクリート打設面、マンションのベランダに支柱網付植生植栽装置にて簡単に低コストで樹木等を植栽し水枯れもなく景観よく緑化することができた。
【実施例１】
【００１１】
図１は支柱網付植生植栽装置を示す断面図であり、図２は植栽設置台を示す斜視図であり、図３はＬ型水量確認管を示す断面図であり、図４は本発明の支柱網付植生植栽装置に樹木系植物を植栽し根巻部をアンカーピンを用いたコンクリート打設面の緑化工法（特許第３５３６１０８号）にて直立固定した状態を示す断面図であり、図５は本発明に係る支柱網付植生植栽装置の一実施例の完成斜視図であり、図６は従来の一般的なコンクリート打設面の緑化工法の断面図である。
【００１２】
図１に示すように１はベランダ、２は天井のコンクリート打設面であり、このコンクリート打設面１と２に本考案に関る支柱網付植生植栽装置本体３を用いて緑化工法を施工する場所を示す。４は庭園範囲を定めるように設計された植栽箱である。この植栽箱４は支柱管６とネット８と植栽設置台１２とＬ型水量確認管１５と給水ロープ１７及びアンカーボルト２０から構成されている。
【００１３】
図において、支柱網付植生植栽装置本体３は、縦１ｍ横２ｍの長方形の大きさに形成されているが、この大きさに限定されるものではなく円形状や他の形状であってもよい。また、支柱管６とネット７を外し単独で用いても、あるいは複数の組み合わせで用いてもよい。
【００１４】
植生箱４の、内部に支柱管６が挿入できる太さの塩ビ管５をＵ型金具５ａで固定し防水シート１０を敷設する。底面部に所定の空間部１１を形成するため、植栽設置台１２を水に強く加工しやすい桧木、発泡スチロール、樹脂系で製作し設置する。植栽設置台面１２ａの幅は植生箱４の内部左右に給水用の厚さ１ｃｍの繊維マット１４が設置できる幅とし
、植栽設置台脚１２ａの部分は図２で示すように植栽設置台面１２ａより幅が狭く下部には空洞１２ｃを設け水が自由に流れ貯水可能に構成されている。
【００１５】
空間部１１の高さは底面部から３ｃｍ〜５ｃｍ程度でよく、この高さで防水シート１０が敷設されている。なお、所定の貯水状態を維持するように外壁面４ａにオーバーフロー孔１３が形成されている。
【００１６】
１４は植栽箱４の内側左右に設置した１ｃｍ厚の繊維マットで、上部から下部底面部まで切断することなく設置された繊維マット１４で上部の配合用土２２に酸素を供給し、また、下部の空間部１１への給水口としてや雨水を通し貯水させる繊維マット１４である。
【００１７】
１５は貯水量が把握できるＬ型水量確認管１５で図３で示すように底面部と平行に外壁面４ａと防水シート１０を貫通する穴を設け、透明なアクリル系等のＬ型管１５ａを挿入し、管水口１５ｂにうき玉１６が空間部１１に流出しないようにネット１５ｃを取付シーディング材にて防水処理をし、Ｌ型管１５ａの中には水位が確認できるうき玉１６を投入し頭部を接着剤にて蓋１５ｂをしたＬ型水量確認管１５である。
【００１８】
１７は給水ロープで、和紙と綿を撚り合わせロープ状にし、空間部１１に貯水した水を上部の樹木Ｇに毛管原理を利用し自動給水ができる給水ロープ１７である。給水ロープ１７は貯水池より繊維マット１４の面をはわせ上部の防根シート１８、不織布１８ａに給水ロープ１７が通る穴を貫通させ配合用土２２や樹木根Ｇａ付近に設置する。給水ロープ１７はロープに含んだ水分が上部の配合用土２２に供給されるが、給水ロープ１７に含んだ水分量と配合用土２２に補給した水分量が同量になると飽和状態になり過剰補給がおきず給水効果と根腐れを防止することができる。
【００１９】
１８の防根シートは樹木根Ｇａが下部の空間部１１に侵入しないように植栽箱４内部、植栽設置台面１２ａ、上部の繊維マット１４表面部を保護するように敷設する。また、防根シート１８の上に配合用土２２が下部空間部１１に落下しないように同様に不織布１８ａを敷設し保護する。防根シート１８と不織布１８ａは水を通すので配合用土２２に余分な雨水等の水分は不織布１８ａ、防根シート１８を通し繊維マット１４の中を通り空間部１１に貯水される。
【００２０】
図において、６のスプリングが内臓されている支柱管に、植栽箱４に固定されている左右の塩ビ管５の間隔と同じ長さの支え棒７を左右の支柱管６頭部近くに金ネジで固定し、天上２の高さに合わせ、支え棒７から植栽箱４の間と左右の支柱管６の間に縁ロープ８ａを通したネット８をたらし閉じバンド９で支柱管６と支え棒７にネット８を固定する。ネット８を装着した支柱管６を塩ビ管５に挿入し支柱管６が植栽箱４と天上２を支え合うように高さ調整口６ａを調整し、支柱管６の中に内臓されているスプリングの反発力で固定し頭部のゴムキャップ６ｂで接着面の保護と接着摩擦力でさらにしっかりと固定される。
【００２１】
図４は植栽樹木Ｇの固定方法である。まず防根シート１８と不織布１８ａで保護された植栽設置台面１２ａに根巻部Ｇａの高さに合わせ配合用土２２を下敷し、樹木根巻部Ｇａを植栽設置台１２に固定されている金網１９にアンカーボルト２０と根巻環状体２１を使用しアンカーピンを用いたコンクリート打設面の緑化工法（特許第３５３６１０８号）にて直立固定し、配合用土２２を規定量覆土する。また、植栽した樹木の後方にあるネットにはつた類の植物を植栽し、つたをはわせ縦方向空間を緑化する。
【産業上の利用可能性】
【００２２】
アパートやマンションのベランダ、ビルのポーチ、家屋の軒等の上下方向空間、さらに支柱管とネットを取り外し、屋上等のコンクリート打設面に簡単に低コストで緑化工事ができ、植物の温度上昇を緩和する効果により都市環境の改善をすることができる。即ち、コンクリート構築物の多い都市部を緑化して、植物のオアシス効果により温度上昇現象（ヒートアイランド現象）を緩和することができる装置である。また、貯水池と給水ロープと水量確認管を設けたことにより維持管理が容易になり乾燥時であっても植栽植物が枯れることなく庭園として景観が良好に保たれ、これからの分野で今後利用される可能性が高いものになった。
【図面の簡単な説明】
【００２３】
【図１】支柱網付植生植栽装置を示す断面図である。
【図２】植栽設置台を示す斜視図である。
【図３】Ｌ型水量確認管を示す断面図である。
【図４】支柱網付植生植栽装置に樹木植物を直立固定した状態を示す断面図である。
【図５】支柱網付植生植栽装置の一実例の完成斜視図である。
【図６】従来の一般的なコンクリート打設面への緑化工法の断面図である。
【符号の説明】
【００２４】
１    コンクリート打設面
２    天上
３    支柱網付植生植栽装置本体
４    植栽容器
５    挿入管
５ａ  Ｕ型金具
６    スプリング内臓支柱管
６ａ  調整口
６ｂ  ゴムキャップ
７    支え棒
８    ネット
８ａ  縁ロープ
９    閉じバンド
１０    防水シート
１１    空間部
１２    植栽設置台
１３    オーバーフロー孔
１４    繊維マット
１５    Ｌ型水量確認管
１６    うき玉
１７    給水ロープ
１８    防根シート
１８ａ  不織布
１９    金網
２０    アンカーボルト
２１    根巻環状体
２２    配合用土
Ｇ    樹木
Ｇａ  根巻部
【図１】
0003109861.tif 000003
【図２】
0003109861.tif 000004
【図３】
0003109861.tif 000005
【図４】
0003109861.tif 000006
【図５】
0003109861.tif 000007
【図６】
0003109861.tif 000008